(57)【要約】【課題】容器台に設けられた安全装置が固着しても、容器台と本体の着脱時に固着を解除できる安全な電動調理器を提供する。【解決手段】容器４と、容器台３と、容器台３に上下動支持された安全レバー７とを備え、安全レバー７は常に一定の位置より下方に移動できる隙間１３を設けた構成とすることで、安全レバー７が下がった状態で固着しても、容器台３を本体に載置するときに安全レバー７を強制的に動かして固着を解除することにより、安全な電動調理器を提供することができる。【選択図】図１
2010167173.tif 000002
【特許請求の範囲】
【請求項１】
電動機を内蔵した本体と、前記本体内に設けられ上下動する安全ピンと、調理物を投入する容器と、前記電動機により回転駆動されるカッターと、前記カッターを内設し前記容器を螺合嵌合により装着し前記本体に装着される容器台と、前記安全ピンを押すために前記容器台内側面に設けられ上下動する安全レバーとを備え、前記容器が容器台に嵌合装着した時は容器に形成された螺子山にて安全レバーが上方へ移動することを規制し、安全レバーは規制された位置よりも下方にのみ移動できる隙間を設け、前記隙間の範囲は安全ピンが突出している本体上面よりも下方とした電動調理器。
【請求項２】
容器台と安全レバーの間にバネを設置し、容器が容器台に装着されていない時は前記バネにて安全レバーが下方向に押し下げられる構成とした請求項１に記載の電動調理器。
【請求項３】
安全レバーを複数個設けた請求項１または２に記載の電動調理器。
【発明の詳細な説明】
【技術分野】
【０００１】
本発明は、容器に果物・野菜等を入れてカッターにより切削攪拌ジュースなどの調理物をつくるミキサーなどの電動調理器に関するものである。
【背景技術】
【０００２】
従来のこの種のミキサーは、図６に示すように本体１に内蔵した電動機２に直結した下コネクタ１１と上コネクタ１０を介し、本体１に装着された容器台３に軸支されたカッター９を高速回転させ、容器４内の果物・野菜等と液体を切削・粉砕し攪拌する。
【０００３】
容器台３は上下動支持された安全レバー７を内蔵し、容器台内側面に前記安全レバー７の一部が突出する開口部を設け、容器４が容器台３に嵌合装着した場合において前記安全レバー７の突出した頭頂部７ａが容器４の螺子山１２に押圧されることにより、安全レバー７が最下点で位置規制される。前記位置規制された安全レバー７が、本体１上面に突設された安全ピン６を押すことにより、安全ピン６が回路スイッチ５を押し、電動機２への電源回路を閉じる安全構成となっている（例えば、特許文献１参照）。
【特許文献１】特開２００１−３０９８５９号公報
【発明の開示】
【発明が解決しようとする課題】
【０００４】
しかしながら、上記従来の構成では、容器台と安全レバーの隙間に異物が挟まったりジュースが侵入後に乾燥したりして、安全レバーが最下点の位置にある時に固着してしまった場合、容器が無くても安全ピンが押され、カッターが外部に露出した状態で回転して危険であるという課題があった。
【課題を解決するための手段】
【０００５】
上記課題を解決するために本発明は、安全レバーの上下動する範囲を下側に大きくして容器台と安全レバーの間に隙間を設けて、容器を容器台に螺合嵌合により装着して安全レバーの頭頂部を容器の螺子山部が押圧して上方へは位置規制を行い、下方へは本体上面よりもさらに下方に安全レバーが移動できる隙間を設ける構成としたものである。
【発明の効果】
【０００６】
上記構成により、安全レバーは隙間の範囲で移動できるため、安全レバーが本体上面よりも下方の位置で固着状態は起こる。そのため容器台を本体に載置するときに、安全レバーの固着状態は解除され安全レバーが異常な位置で停止する状態を未然に防ぐことができるため、本発明はカッターが外部に露出した状態では回転しない絶対安全な電動調理器を提供することができる。
【発明を実施するための最良の形態】
【０００７】
第１の発明は、電動機を内蔵した本体と、前記本体内に設けられ上下動する安全ピンと、調理物を投入する容器と、前記電動機により回転駆動されるカッターと、前記カッターを内設し前記容器を螺合嵌合により装着し前記本体に載置される容器台と、前記安全ピンを押すために前記容器台内側面に設けられ上下動する安全レバーとを備え、前記容器が容器台に嵌合装着した時は容器に形成された螺子山にて安全レバーを上方への位置規制を行い、下方へは本体上面よりさらに下方に移動できる隙間を容器台と安全レバーの間に設けた構成としたもので、容器の装着無しに容器台を本体に載置したときは、安全レバーが上方へ動き安全ピンを押すことは無い。また容器の容器台への装着有無にかかわらず、安全レバーは常に隙間の範囲で自重で下方へ下がるため、安全レバーの固着状態は、本体上面
より下方の位置で起きる。そのため容器台を本体に載置するときに、安全レバーは本体上面に確実に干渉するため、安全レバーの固着状態は解除される。このことにより、安全レバーが異常な位置で停止して、カッターが外部に露出した状態で回転することを未然に防ぐことができる。
【０００８】
第２の発明は、特に、第１の発明の容器台と安全レバーの間にバネを設置し、容器の容器台への装着有無にかかわらず、前記バネにて安全レバーを下方へ押しさげられる構成としたことで、安全レバーが常に下方へ下がる状態を自重だけではなくバネ力で補強することができる。
【０００９】
第３の発明は、特に、第１又は第２の発明の安全レバーを複数個設けることにより、容器台の本体への載置位置を複数箇所に増やすことができる。
【００１０】
以下、本発明の実施の形態について図面を用いて説明する。なお、この実施の形態によって本発明が限定されるものではない。
【００１１】
（実施の形態１）
図１は、本発明の第１の実施の形態における電動調理器の断面図である。なお、上記従来例と同一部分については、同一符号を付してその説明を省略する。
【００１２】
図１において、本体１上に容器４を螺合嵌合した容器台３を着脱自在に載置され、容器台３内に設けられた安全レバー７が本体１上面に突設された安全ピン６を押すことにより、本体１に内蔵された電動機２の電源回路を閉じて、カッター９を回転させることができる。
【００１３】
以上のように構成された電動調理器において、以下その動作、作用を説明する。
【００１４】
容器４がカッター９を内設した容器台３に螺合嵌合により装着される。その際、容器台３内側面に設けられた上下動する安全レバー７を、容器４に形成された螺子山１２にて上方への位置規制を行う。下方へは本体上面よりさらに下方に移動できる隙間１３を容器台３と安全レバー７の間に設ける。
【００１５】
容器台３を本体１に設置する時、安全レバー７は、本体１上面に突設された安全ピン６を押すことにより、電動機２への電源回路を閉じる。
【００１６】
図２は、容器４を装着せずに容器台３を本体１に載置した断面図である。図２において、容器４を装着せずに容器台３を本体１に載置しても、上方へ移動できる安全レバー７は安全ピン６を押さないため、電動機２への電源回路は開放されており、カッター９が外部に露出した状態で回転することは無い。
【００１７】
図３は容器４を容器台３に装着した断面図である。図３において、安全レバー７は容器４に形成された螺子山１２にて上方へ規制された位置よりも、隙間１３の範囲で下方に自重にて下がっている。またその位置は本体上面よりも下方であるため、安全レバー７は常に本体上面よりも下方に位置する。このため安全レバー７の固着状態は、本体上面よりも下方の位置で起きる。このことにより、容器台３を本体１に載置するときに安全レバー７は本体上面と干渉するため、安全レバー７は本体上面により上方へ押されて固着状態が解除される。よって、安全レバー７が異常な位置で停止することは無くなり、容器４を装着せずに容器台３を本体１に載置しても、安全レバー７が安全ピン６を押すことは無いため電源回路は開放されており、カッター９が回転することは無く安全である。
【００１８】
（実施の形態２）
図４は、本発明の第２の実施の形態における容器台３の断面図である。
【００１９】
図４において、容器台３と安全レバー７の間に安全レバーバネ８を設けることにより、容器４の容器台３への装着有無にかかわらず、安全レバーバネ８にて安全レバー７を下方へ押し下げる構成とする。このことにより、安全レバー７が下方へ下がる状態を自重だけではなく安全レバーバネ８のバネ力で補強することができるため、容器台３が逆さまに放置された場合でも安全レバー７を安全な位置、前記実施の形態２における下方、に規制することができる。また、大量生産時の寸法バラつきにより、安全レバー７の摺動性が悪くなってしまった場合にも、安全レバー７を安全な位置に規制することができる。
【００２０】
（実施の形態３）
図５は、本発明の第３の実施の形態における容器台３の斜視図である。
【００２１】
図５において、容器台３は複数個の安全レバー７を設けているため、容器台３を本体１へ載置する際は、いずれか１つの安全レバー７で安全ピン６を押すことができる。このことにより、容器台３の本体１への載置位置を複数箇所に増やすことができる。
【産業上の利用可能性】
【００２２】
以上のように、本発明にかかる電動調理器は、安全レバーの固着を未然に防ぐことができるので、ミキサー、ミルやフードプロセッサー以外にも、レバーを使う多種の安全装置の用途に適用できる。
【図面の簡単な説明】
【００２３】
【図１】本発明の実施の形態１における電動調理器の断面図
【図２】容器を装着せずに容器台を本体に載置した断面図
【図３】容器を容器台に装着した断面図
【図４】本発明の第２の実施の形態における容器台３の断面図
【図５】本発明の第３の実施の形態における容器台３の斜視図
【図６】従来の電動調理器の断面図
【符号の説明】
【００２４】
１  本体
２  電動機
３  容器台
４  容器
５  回路スイッチ
６  安全ピン
７  安全レバー
７ａ  安全レバー頭頂部
８  安全レバーバネ
９  カッター
１０  上コネクタ
１１  下コネクタ
１２  容器螺子山
１３  隙間
【図１】
2010167173.tif 000003
【図２】
2010167173.tif 000004
【図３】
2010167173.tif 000005
【図４】
2010167173.tif 000006
【図５】
2010167173.tif 000007
【図６】
2010167173.tif 000008